(57)【要約】      （修正有）【課題】従来のボードは速度を上げる事を重点にしボードの幅が狭く、これに人を乗せ、椅子を取り付けても、左右の安定が悪くなる傾向があった。本考案は、足の弱い、悪い人、あるいは初心者でも椅子に座って雪上のスポーツを楽しむことが出来る雪上滑走ボードを提供する。【解決手段】ボードを十文字に固縛し、重点的に下のボードに速度を、上のボードに安定と全体の回転を求め、椅子を取り付け、前向きに座って、足を上のボードに楽に乗せ、山でもゲレンデでも座っての雪上のスポーツの楽しみを得る事が出来るようになった。上下のボードの形を色々変えて上下のボードを一体に作ることも考えられる。【選択図】図３
0003135457.tif 000002
【実用新案登録請求の範囲】
【請求項１】
十文字に組み合わせたボードの構造を請求項とす。
雪面を滑るためのボードの滑走面を下にし上下のボードを図１の如くに十文字に重ね固縛する即ち下のホードの滑走面の縦の中心線と上のボードの滑走面の縦の中心線を直角にし、上のボードの滑走面は下のボードの滑走面の縦の中心線に対し左右対象にする。上のボードの縦の滑走面の中心線により下のボードの滑走面の縦の中心線は二つに分けることが出来るが、一方を長くし長い方を前部とし短い方を後部とする。
【請求項２】
上下のボードの滑走面の距離と角度の可変を請求項とす。
上のボードの滑走面は下のボードの滑走面の縦の中心線に対し左右対象であるがその距離と角度は可変である。その値は上下のボードの固縛の構造により変えることが出来る。
【請求項３】
椅子に座っ人の両足が前部に向いて上のボード上に楽に乗せ得ることを椅子の前後の位置として請求項とす。
図３の様に椅子を、この椅子に座った時の人の両足が下のボードの滑走面の縦の中心線を跨ぎ、上のボード上に楽に両足を乗せうる様にし、この中心線に対し、平行に、左右対象に、前部に向かう、位置ににする。
【請求項４】
上のボード又は椅子に金具を取り付けることにより手にもったストックの雪面の摩擦力のささえになる金具を請求項とす。
【考案の詳細な説明】
【技術分野】雪面上のスポーツ
【背景技術】
【０００１】従来はゲレンデでの操作が主となり、速度が中心てボードの幅が狭く左右の不均衡を生じ安く、安定が悪く、足の悪い又は弱い人には向かない。
【考案の開示】
【考案が解決しようとする課題】
【０００２】山の深い雪と、よく踏み固めたゲレンデに向く安定と速度を求めたい。
【課題を解決するための手段】
【０００３】滑走面を下にしたボードを図１に示す如く上下に十文字に固縛する。上下のボードの滑走面の縦の中心線は互いにちょつかくであり、上の滑走面は下のボードの滑走面の縦の中心線に対し左右対象である。下のボードの滑走面の縦の中心線は上のボードの滑走面の縦の中心線により二つに分けられるが一方を図１の様に長くし長い方を前部とし短い方を後部とする。下のボードａに速度  を上のボードｂに安定と全体の回転を求める。上下のボードの滑走面の距離と角度は可変とするがこれは固縛の構造により求められる。
下のボードは速度を主とし、従として全体の回転を受け持ち、上のボードは手に持ったストックと共に安定と全体の回転をつかさどる。ゲレンデにおいては雪の柔らかさと深さを勘案し上下のボードの滑走面の間隔と角度を決めるが、この値は固縛の時に変えうる。図３は自転車のサドルを椅子にした図なり。下のボードの縦の滑走面の中心線に対し椅子は、前向きに，平行に、左右対象に取り付ける。この椅子に座った人の両足が前向きに楽に上のホードに乗せられる様に椅子の前後の位置を決める。手に持ったストックは、安定に、回転に役立ち要すれば上のボードの左右両側又は椅子に金具を取り付け、雪の摩擦力による手の反力を弱めることが出来る。
又上下のボードを一体に作ることもある。
【考案の効果】
【０００４】安定と回転と滑行速度を同一装置に求めることが可能で、足の弱い、悪い人、あるいは初心者でも椅子に座って雪上のスポーツを楽しむことが出来る。
【考案を実施するための最良の形態】
【実施例】
【０００５】場所の関係があり、この考えを登録してから実施ししたい。
【産業上の利用可能性】
【０００６】雪上スポーツの範囲が広くなり、今までスポーツに参加出来な  かった人もスポーツに参加し職場が明るくなる。
【図面の簡単な説明】
【０００７】
【０００８】
【図１】  本考案のボードを上から見た平面図である。
【図２】  図１の側面図。
【図３】  自転軍のサドルを椅子にしボードに取り付けた図。
【符号の説明】
【０００９】  ａ        滑走面を下にし、平らな雪面においた下のボート。
ｂ        滑走面を下にし、ａの上に長い方を横に十文字に固縛した上のボード。
ｃ        ａとｂの間にあり、その角度と距離を調節する物質。
ｓ        自転車のサドル
【図１】
0003135457.tif 000003
【図２】
0003135457.tif 000004
【図３】
0003135457.tif 000005
【手続補正書】
【提出日】平成18年5月12日(2006.5.12)
【手続補正１】
【補正対象書類名】実用新案登録請求の範囲
【補正対象項目名】全文
【補正方法】変更
【補正の内容】
【実用新案登録請求の範囲】
【請求項１】
雪面を滑るための滑走面を下にしたボードを上下に十文字に重ね、上のボードを下のボードに対し左右対象に、固縛することを請求項とす。
【請求項２】
雪面を滑るための上下のボードの滑走面の距離と角度の可変の構造を請求項とす。
【請求項３】
椅子に座った人の両足が前部に向いて上のボード上に踵と爪先を同時に付けて乗せ得ることを椅子の前後の位置として請求項とす。
【請求項４】
上のボード又は椅子に金具を取り付けることにより、手に持ったストックの雪面のささえになる金具を請求項とす。
【手続補正書】
【提出日】平成18年5月15日(2006.5.15)
【手続補正１】
【補正対象書類名】実用新案登録請求の範囲
【補正対象項目名】請求項４
【補正方法】変更
【補正の内容】
【請求項４】
ボード又は椅子に金具を取り付けることにより手に持ったストックの雪面から受ける力のささえになる金具を請求項とす。
【手続補正書】
【提出日】平成18年7月13日(2006.7.13)
【手続補正１】
【補正対象書類名】実用新案登録請求の範囲
【補正対象項目名】全文
【補正方法】変更
【補正の内容】
【実用新案登録請求の範囲】
【請求項１】
両足を乗せることが出来るいた状の物質を上部に固縛した、雪面を滑るため滑走面を下にした「ボード」。
【手続補正２】
【補正対象書類名】明細書
【補正対象項目名】全文
【補正方法】変更
【補正の内容】
【考案の詳細な説明】
【技術分野】
【０００１】雪面じょうのスポーツ
【背景技術】
【０００２】従来はゲレンデでの操作が主となり、速度が中心で「ボード」の幅が狭く左右の不均衡を生じ安く、安定が悪く、足の悪い又は弱い人には向かない。
【考案の開示】
【考案が解決しょうとする課題】
【０００３】山の深い雪と、よく踏み固めたゲレンデに向く安定と速度を求めたい。
【課題を解決するための手段】
【０００４】滑走面を下にした「ボード」といた状の物質を図１に示す如く上下に十文字に固縛する。上のいた状の物質の滑走面は下の「ボード」のの滑走面の縦の中心線に対し左右対象である。下の「ボード」に速度を上のいた状の物質に安定と全体の回転を求める。手にストックを持つた人は上のいた状の物質に安定と全体の回転を求める。雪の柔らかさと深さを勘案し上のいた状の物質と下の「ボード」の滑走面との距離と角度を決めるが、この値は固縛の時に変えうる。図３は自転車のサドルを椅子にした図なり。下の「ボード」の縦の滑走面の中心線に対し、椅子は前向きに、左右対象に取り付ける。この椅子に座った人がいた状の物質に両足を乗せることが出来る様に椅子の前後の位置を決める。手に持ったストックは、安定に、回転に役立ち要すれば上のいた状の物質の左右両側又は椅子に金具を取り付け、雪の摩擦力による手の反力を弱めることが出来る。
又上のいた状の物質と下の「ボード」を一体に作ることもある。
【考案の効果】
【０００５】安定と回転と滑行速度を同一装置に求めることが可能で、足の弱い、悪い人、あるいは初心者でも椅子に座って雪上のスポーツを楽しむことが出来る。
【考案を実施するための最良の形態】
【０００６】後ろに雪深い山がある、空いたゲレンデで試すことが最良なり。
【実施例】
【０００７】場所の関係があり、この考えを登録してから実施ししたい。
【産業上の利用可能性】
【０００８】雪上スポーツの範囲が広くなり、今までスポーツに参加出来なかった人もスポーツに参加し職場が明るくなる。
【図面の簡単な説明】
【０００９】
【図１】  本考案の「ボード」を上から見た平面図
【図２】  図１の側面図
【図３】  自転車のサドルを椅子にし、「ボード」に取り付けた図
【符号の説明】
【００１０】ａ            滑走面を下にし平らな雪面においた下の「ボート」
ｂ            滑走面を下にしａの上に十文字に固縛した上のいた状の物質。
ｃ            ａとｂの間にあり、その角度と距離を調節する物質
ｓ            自転車のサドル
【手続補正書】
【提出日】平成18年9月12日(2006.9.12)
【手続補正１】
【補正対象書類名】実用新案登録請求の範囲
【補正対象項目名】請求項１
【補正方法】変更
【補正の内容】
【請求項１】
人の両足を同時に乗せることが出来る雪面滑走が出来ろいた状の物質を、雪面を滑るためのボードに近い滑走面を、雪面を滑るためのボードの滑走面の
0003135457.tif 000006
「【」［請求項１］十文字に組み合わせたボードの構造を請求項とす。雪面を滑るためのボードの滑走面を下にし上下のボードを図１の如くに十文字に重ね固縛する即ち下のホードの滑走面の縦の中心線と上のボードの滑走面の縦の中心線を直角にし、上のボードの滑走面は下のボードの滑走面の縦の中心線に対し左右対象にする。上のボードの滑走面の縦の中心線により下のボードの滑走面の縦の中心線は二つに分けることが出来るが、一方を長くし長い方を前部とし短い方を後部とする。「】」
【手続補正２】
【補正対象書類名】実用新案登録請求の範囲
【補正対象項目名】請求項２
【補正方法】変更
【補正の内容】
【請求項２】
雪面滑走が出来るいた状の物質の、雪面を滑るためのボードに近い滑走面と雪面を滑るためのボードの滑走面との距離と角度とを可変にしたこの両面の間にある物質。
「【」［請求項２］上下のボードの滑走面の距離と角度の可変を請求項とす。上のボードの滑走面は下のボードの滑走面の縦の中心線に対し左右対象であるがその距離と角度は可変である。その値は上下のボードの固縛の構造により変えることが出来る。「】」
【手続補正３】
【補正対象書類名】実用新案登録請求の範囲
【補正対象項目名】請求項３
【補正方法】変更
【補正の内容】
【請求項３】
雪面滑走が出来るいた状の物質を跨ぎながら雪面を滑るためのボードに、又は雪面滑走が出来るいた状の物質に取り付けた椅子。
「【」［請求項３］椅子に座っ人の両足が前部に向いて上のボード上に楽に乗せ得ることを椅子の前後の位置として請求項とす。
図３の様に椅子を、この椅子に座った時の人の両足が下のボードの滑走面の縦の中心線を跨ぎ、上のボード上に楽に両足を乗せうる様にし、この中心線に対し、平行に、左右対象に、前部に向かう、位置ににする。「】」
【手続補正４】
【補正対象書類名】実用新案登録請求の範囲
【補正対象項目名】請求項４
【補正方法】変更
【補正の内容】
【請求項４】
手に持ったストックの雪面からくる摩擦力のささえとなるために椅子又は雪面を滑るためのボードに取り付けた金具。
「【」［請求項４］上のボード又は椅子に金具を取り付けることにより手にもったストックの雪面の摩擦力のささえになる金具を請求項とす。「】」
【手続補正５】
【補正対象書類名】明細書
【補正対象項目名】全文
【補正方法】変更
【補正の内容】
【考案の詳細な説明】
【技術分野】
【０００１】雪面上のスポーツ
【背景技術】
【０００２】従来の技術はゲレンデでの操作が主となり、速度が中心てボードの幅が狭く左右の不均衡を生じ安く、安定が悪く、初心者、足の悪い又は弱い人には向かない。
【考案が解決しようとする課題】
【０００３】山の深い雪と、よく踏み固めたゲレンデに向く安定と速度を求めたい。
【課題を解決するための手段】
【０００４】図１に示す如く滑走面を下にした雪面を滑るためのボードに、人の両足を同時に乗せ得る雪面滑走が出来るいた状の物質を十文字に固縛し、下の雪面を滑るためのボードに速度を主とし、上の雪面滑走が出来るいた状の物質に安定と全体の回転を主として期待する。図２の如くａとｂの間にｃ物質を設けることによりｃの寸法を変化さすことによりａとｂの滑走面の距離と角度を可変とするがこの値はａとｂの固縛の時により求められる。図３は自転車のサドルを椅子にした例なり。この椅子は、下の雪面を滑るためのボードに、ボードの縦の滑走面の中心線に対し左右対象に、前向きに、平行に、取り付ける。この椅子に座った人の両足が前向きに、同時に乗せられる雪面滑走が出来るいた状の物質を雪面を滑るためのボードに固縛する。手に持ったストックは、安定に、回転に役立つが、要すれば上の雪面滑走が出来るいた状の物質の左右両側又は椅子に金具を取り付け、雪の摩擦力による手の反力を弱めることが出来る。雪面を滑るためのボートといた状の物質を一体に作ることもある。
【発明の効果】
【０００５】安定と回転と滑行速度を同一装置に求めることが可能で、足の弱い人、或いは初心者でも椅子に座って雪上のスポーツを楽しむことが出来る。
【実施例】
【０００６】場所の関係があり、この考えを登録してから実施したい。
【図面の簡単な説明】
【０００７】
【図１】本発明の雪面を滑るためのボードとこのボードに固縛した雪面滑走が出来るいた状の物質を上から見た平面図
【図２】ａ′とｂ′とｃの関係を示した図１の側面図
【図３】自転車のサドルを椅子にし、この椅子を雪面を滑るためのボードに取り付けた図（椅子の一つの例）
【符号の説明】
【０００８】ａ    滑走面を下にし、平らな雪面においた雪面を滑るためのボート
ａ′  ａの雪面の滑走面の反対面
ｂ    滑走面を下にし、ａの上に十文字に固縛した雪面滑走が出来るいた状の物質
ｂ′  ｂの滑走面
ｃ    ａ′とｂ′の間にある、ａ′、ｂ′の角度と距離を調節する物質
ｓ    自転車のサドル（ａを平らな雪面に置いた椅子の一つの例）
ｄ    ａの滑走面のセンター
ｄ′  ａの滑走方向
ｅ    平らな雪面においたａの滑走面
【手続補正６】
【補正対象書類名】図面
【補正対象項目名】全図
【補正方法】変更
【補正の内容】
【図１】
0003135457.tif 000007
【図２】
0003135457.tif 000008
【図３】
0003135457.tif 000009